(57)【特許請求の範囲】
【請求項１】
無線電波により着信したメッセージをメッセージファイルにして記憶し、少なくとも該メッセージファイルから取り出したメッセージを画面表示可能な画像表示器と、回転操作部と押込スイッチと入力スイッチとを有する入力機器とを備え、且つ前記メッセージファイルから取り出したメッセージを表示させるメッセージ表示フェーズと、前記メッセージファイルを操作するメッセージ操作フェーズ下で作動可能な携帯無線情報端末装置の画面表示方法であって、
前記メッセージ表示フェーズ下で作動中に、前記回転操作部によって前記メッセージのスクロールが可能とされ、前記回転操作部と一体に構成された前記押込スイッチから指示入力が発生すれば、前記メッセージ表示フェーズ下における動作を中断して前記メッセージ操作フェーズに移行し、
前記メッセージ表示フェーズで表示された前記メッセージの表示の一部を残して該メッセージ操作フェーズ下の画面を呼び出して表示させ、
前記メッセージ操作フェーズ下で前記入力スイッチによる指示入力がなされると、前記メッセージ表示フェーズに移行し、前記メッセージを中断位置から表示させる構成とすることを特徴とする携帯無線情報端末装置の画面表示方法。
【請求項２】
無線電波により着信したメッセージをメッセージファイルにして記憶し、少なくとも該メッセージファイルから取り出したメッセージを画面表示可能な画像表示器と、回転操作部と押込スイッチと入力スイッチとを有する入力機器とを備え、且つ前記メッセージファイルから取り出したメッセージを表示させるメッセージ表示フェーズと、前記メッセージファイルを操作するメッセージ操作フェーズ下で作動可能な携帯無線情報端末装置であって、
前記メッセージ表示フェーズ下で作動中に、前記回転操作部によって前記メッセージのスクロールが可能とされ、前記回転操作部と一体に構成された前記押込スイッチから発生した、フェーズ間の遷移を指示する入力信号を検出する遷移指示入力検出手段と、
前記遷移指示入力検出手段の検出結果に基づいて、前記メッセージ表示フェーズ下での動作を中断させ、前記メッセージ操作フェーズへの遷移を実行するフェーズ間遷移手段と、
前記メッセージ表示フェーズで表示された前記メッセージの表示の一部を残して該メッセージ操作フェーズ下の画面を呼び出して表示させ、前記メッセージ操作フェーズ下で前記入力スイッチによる指示入力がなされると、前記メッセージ表示フェーズに移行し、前記メッセージを中断位置から表示させるフェーズ下処理実行手段と
を有することを特徴とする携帯無線情報端末装置。
【発明の詳細な説明】
【０００１】
【発明の属する技術分野】
本発明は、携帯無線情報端末装置および画面呼出方法に関し、特に受信され、メモリに記憶されたメッセージ情報を内蔵する画像表示器に表示する携帯無線情報端末装置、とりわけページャ装置とその画面呼出方法に関する。
【０００２】
【従来の技術】
可搬型で携帯に適し、通信ネットワークの端末装置として機能する携帯無線情報端末装置は、近年の情報通信分野における広範かつ急激な需要拡大に応えるべく、多様な構成と機能のものが実用化されている。
【０００３】
このような携帯無線情報端末装置の一例として、無線により信号受信を行うページャ装置が広範に使用されている。
初期のページャは、無線基地局から発せられる呼出信号を受信するとベル奏鳴がなされる端末装置であり、この装置を携帯して、離れた場所に居る使用者に対し、無線により呼出信号を発して通報し、使用者に最寄りの有線電話器からの連絡を促すものであった。
【０００４】
そして、無線基地局から発せられる信号を単なる呼出信号にとどまらず、情報を載せた信号を発信可能にし、一方受信側では、この情報を載せた信号の着信があると、この着信を復元してメモリに記憶するとともに、復元した情報を液晶表示パネルにメッセージとして表示する機能を備えるページャ装置が開発され、現在広く使用されるに至っている。
【０００５】
こうしたページャ装置は、異なる機能に対応した複数の状態（以下、これをフェーズと称する）下で作動可能に構成されている。これらフェーズとしては、着信したメッセージ文をメッセージファイルに編成してメモリに記憶するメッセージ記憶フェーズ、ファイル中に記憶されているメッセージ文を画面に表示させるメッセージ表示フェーズ、記憶されているメッセージファイルへの操作を行なうメッセージ操作フェーズなどがある。
【０００６】
前記の各フェーズのうち、その動作において使用者側に提示を要するものや、使用者からの入力指示がなされるフェーズについては、それぞれ対応する画面が表示されるように構成されている。
【０００７】
たとえばメッセージファイルへの操作を行なうメッセージ操作フェーズでは、メッセージ操作画面が表示される。このメッセージ操作画面は、当該メッセージファイルへの操作を可能にするもので、例えば当該メッセージ文が消去されないためのロック操作や、あるいは当該メッセージ文が不要になった際の消去操作が、使用者の入力指示により実行されるように構成されている。
【０００８】
また、メッセージ文を画面に表示させるメッセージ表示フェーズには、メッセージ表示画面が準備されている。このメッセージ表示画面は、装置が内蔵する液晶表示パネルに例えば一行２０文字で、４行分が一度に表示される。
【０００９】
そしてメッセージ文が多数の行に亘る場合には、使用者が入力操作することによりスクロールがなされ、順に全文が表示可能になっている。
【００１０】
ところで従来のページャ装置では、ひとつのメッセージ文の終わりに継続して、メッセージ操作画面が引き続き表示されるように構成されていた。
すなわち、記憶されているメッセージ文が画面に表示されるメッセージ表示フェーズから、メッセージ操作フェーズへの移動が、ひとつのメッセージ文の終わり毎に自動的になされるように構成されていた。
【００１１】
【発明が解決しようとする課題】
ところで、上記のように各メッセージ文の末尾に引き続き、メッセージ操作画面が表示される構成では、このメッセージ操作画面を呼び出し表示させるために、使用者が何度も繰り返し反復してスクロール操作を実行する必要があった。
【００１２】
この結果、メッセージ文が長文であり、しかもメッセージ文の途中でこのメッセージファイルの処理が必要になった場合などでは、とりわけ使用者の操作が面倒であり、よって操作性において難があった。
【００１３】
本発明は、前記のような従来の携帯無線情報端末装置における画面呼び出し構成の課題を解決するため為されたもので、あるフェーズ下で作動中に、簡単な入力操作のみで直ちに別のフェーズ下に遷移して画面表示が可能な携帯無線情報端末装置と、その画面表示方法を提供することを目的とする。
【００１４】
【課題を解決するための手段】
前記目的を達成するため、本発明に係る携帯無線情報端末装置の画面表示方法は、無線電波により着信したメッセージをメッセージファイルにして記憶し、少なくとも該メッセージファイルから取り出したメッセージを画面表示可能な画像表示器と、回転操作部と押込スイッチと入力スイッチとを有する入力機器とを備え、且つメッセージファイルから取り出したメッセージを表示させるメッセージ表示フェーズと、メッセージファイルを操作するメッセージ操作フェーズ下で作動可能な携帯無線情報端末装置の画面表示方法であって、
メッセージ表示フェーズ下で作動中に、回転操作部によってメッセージのスクロールが可能とされ、回転操作部と一体に構成された押込スイッチから指示入力が発生すれば、メッセージ表示フェーズ下における動作を中断してメッセージ操作フェーズに移行し、
メッセージ表示フェーズで表示されたメッセージの表示の一部を残して該メッセージ操作フェーズ下の画面を呼び出して表示させ、
メッセージ操作フェーズ下で入力スイッチによる指示入力がなされると、メッセージ表示フェーズに移行し、メッセージを中断位置から表示させる構成とすることを特徴とする。
【００１５】
前記の方法によれば、回転操作部と一体に構成された押込みスイッチから指示入力があれば、動作を中断して直ちに定められたメッセージ操作フェーズに移行し、メッセージ表示フェーズで表示されたメッセージの表示の一部を残してメッセージ操作フェーズ下の画面を呼び出して表示させ、メッセージ操作フェーズ下で入力スイッチによる指示入力がなされるとメッセージ表示フェーズに移行し、メッセージを中断位置から表示させる動作が、簡単な入力操作だけで容易になされる。
【００１７】
また本発明に係る携帯無線情報端末装置は、無線電波により着信したメッセージをメッセージファイルにして記憶し、少なくとも該メッセージファイルから取り出したメッセージを画面表示可能な画像表示器と、回転操作部と押込スイッチと入力スイッチとを有する入力機器とを備え、且つメッセージファイルから取り出したメッセージを表示させるメッセージ表示フェーズと、メッセージファイルを操作するメッセージ操作フェーズ下で作動可能な携帯無線情報端末装置であって、
メッセージ表示フェーズ下で作動中に、回転操作部によってメッセージのスクロールが可能とされ、回転操作部と一体に構成された押込スイッチから発生した、フェーズ間の遷移を指示する入力信号を検出する遷移指示入力検出手段と、
遷移指示入力検出手段の検出結果に基づいて、メッセージ表示フェーズ下での動作を中断させ、メッセージ操作フェーズへの遷移を実行するフェーズ間遷移手段と、
メッセージ表示フェーズで表示されたメッセージの表示の一部を残して該メッセージ操作フェーズ下の画面を呼び出して表示させ、メッセージ操作フェーズ下で入力スイッチによる指示入力がなされると、メッセージ表示フェーズに移行し、メッセージを中断位置から表示させるフェーズ下処理実行手段と
を有することを特徴とする。
【００１８】
前記の構成によれば、遷移指示入力検出手段により、回転操作部と一体に構成された押込スイッチから発生した、フェーズ間の遷移を指示する入力信号が検出されると、この検出結果に基づいてフェーズ間遷移手段により、メッセージ操作フェーズへの遷移が実行され、ついでフェーズ下処理実行手段によってメッセージ表示フェーズで表示されたメッセージの表示の一部を残して該メッセージ操作フェーズ下の画面を呼び出して表示させ、遷移したメッセージ操作フェーズ下で入力スイッチによる指示入力がなされると遷移前のメッセージの表示フェーズに移行し、メッセージを中断位置から表示させる。
【００２３】
【発明の実施の形態】
以下、この発明の好適な実施形態を添付図を参照して詳細に説明する。なお、以下に述べる実施形態は、この発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの形態に限られるものではない。
【００２４】
図１は、本発明の携帯無線情報端末装置の第一の実施形態に係る要部構成を示すブロック図である。図２は、その全体構成を示すブロック図である。
さらに図５は、図１および図２に示される携帯無線情報端末装置の外観構成を示す正面図である。
【００２５】
図２に示すように、本実施の形態に係る携帯無線情報端末装置１はページャであり、無線基地などの遠隔地にある送信拠点から送信された情報信号の載った無線電波を受信するアンテナ２と、アンテナ２に接続され、アンテナ２で受信した信号を増幅、検波する受信部３と、この受信部３に接続された、着信信号からコード情報を復号するデコーダである復調部４とを備え、これらが通信手段を構成している。
【００２６】
また復調部４はＡ／Ｄコンバータを備えてデジタル情報を生成させ、さらに、たとえばＥＥＰＲＯＭなどで構成されるＩＤメモリ（図示されない）に記録されているＩＤコードと、前記の復号されたコード情報とを照合し、送られた情報が自らに送られた情報であるか否かを識別する機能を備える。復調部４の出力側は、ＣＰＵ５に接続される。
【００２７】
ＣＰＵ５には、さらに、たとえばＳＲＡＭで構成されるメッセージ記憶メモリ７が接続されている。
【００２８】
ＣＰＵ５は、データ処理と入出力処理を司るもので、内部あるいは外部のＲＯＭに格納されている各種の実行可能な手順（プログラム）に基づき、後述する入力機器から送られる入力信号の取り込みと処理、メッセージ記憶メモリ７へのデータ書込みとファイル編成およびＴＯＣ（テーブル・オブ・コンテンツ）の作成更新、ならびにファイル読出しの実行、ディスプレイ画面へのメッセージ情報などの表示の制御、ならびに着信の通報や電圧異常等の通報の制御を含む、装置全体の動作の制御と管理を行う。
【００２９】
着信信号に基づき復調部４で生成されたコード情報中のメッセージ情報は、メッセージ記憶メモリ７に書込み記憶される。この記憶されたメッセージ情報は、読出されてディスプレイ画面へ表示される。メッセージ記憶メモリ７は、前記ＳＲＡＭの他にも、フラッシュメモリや、ＥＥＰＲＯＭなどの不揮発性メモリで構成できる。
【００３０】
また、使用者によって操作される入力機器として、回転入力機器９、この回転入力機器９と一体に構成された押込スイッチ８がそれぞれ設けられる。このように回転入力機器９と押込スイッチ８は一体で、回転・押込入力機器３９を構成している。この回転・押込入力機器３９については後に詳述する。
【００３１】
使用者によって操作される入力機器として、さらに、入力スイッチ１６が設けられている。この入力スイッチ１６は、非回転操作が加えられて作動する非回転入力機器であり、押圧やタッチ等の非回転操作によって入力信号１６ａを発生させるものである。ここでは、この入力スイッチ１６の発生させる入力信号１６ａを非回転入力信号と称する。また本実施形態ではこの入力スイッチ１６を、後述されるフェーズ復帰操作の入力機器として使用する。
【００３２】
これら回転入力機器９、押込スイッチ８、入力スイッチ１６は、入力機器制御部１０に接続され、入力機器制御部１０はＣＰＵ５に接続されている。
【００３３】
また、ＣＰＵ５には表示パネル駆動部１１が接続され、この表示パネル駆動部１１に液晶表示パネル１２が、ディスプレイ画面として接続されている。即ち、これら表示パネル駆動部１１と液晶表示パネル１２とで、画像表示器が構成されている。
【００３４】
ＣＰＵ５から出力される表示信号は表示パネル駆動部１１に送られ、表示パネル駆動部１１は、駆動信号を液晶表示パネル１２に入力してこの液晶表示パネル１２を駆動し、画面を形成させる。
【００３５】
さらにＣＰＵ５には通報信号出力部１３が接続され、この通報信号出力部１３にスピーカ１４が鳴音通報機器として接続されている。ＣＰＵ５は、スピーカ１４を作動させる作動信号を出力し、この作動信号が通報信号出力部１３に入力され、ここで音声信号となりスピーカ１４が駆動される。
【００３６】
上記のように、ＣＰＵ５、入力機器制御部１０などから制御手段が構成されている。以下、図１に基づき、要部の構成を詳説する。
【００３７】
データバスであるデータ伝達手段２０には、ＣＰＵ５、システムメモリ６、ＲＯＭ６’、メッセージ記憶メモリ７、入力信号処理部１０Ｂ、表示パネル駆動部１１、通報信号出力部１３などが接続されている。
【００３８】
したがってＣＰＵ５は、データ伝達手段２０を介してシステムメモリ６、ＲＯＭ６’、メッセージ記憶メモリ７、表示パネル駆動部１１、通報信号出力部１３、入力信号処理部１０Ｂとデータ授受を行なう。
【００３９】
システムメモリ６には、装置全体の動作を制御するための各種の制御手順が、ＣＰＵ５が実行可能なプログラム形式で格納されている。
【００４０】
ＲＯＭ６’には、主としてアプリケーション関連の実行手順が、ＣＰＵ５が実行可能なプログラム形式で格納されており、このＲＯＭ６’は読出し専用のＭＯＳメモリや、フラッシュメモリ等によって構成されている。
【００４１】
図３は、回転・押込入力機器の一例の構成図である。同図に示されるように、本例の回転・押込入力機器３９は、回転操作部としての回転入力機器９と、押込操作部としての押込スイッチ８が、一体に構成されている。
【００４２】
このような回転・押込入力機器３９は、携帯無線情報端末装置の小型化と、部品点数の削減を可能にするものであり、例えばジョグダイヤルやロータリーエンコーダとして実用化されているもので、回転操作部は回転自在の円板状つまみを備え、また押込操作部は、この円板状つまみごと押し込むことで断続信号を発生する構成となっている。
【００４３】
したがって、円板状つまみを時計方向（右回り）および反時計方向（左回り）にそれぞれ回転させることにより、二系統の入力信号が容易に得られ、その上、円板状つまみの押込みによる断続入力信号が得られることにより、スイッチ類の個数が削減されて、装置の小型化と、操作性の向上がなされるものである。
【００４４】
回転入力機器９は、矢印Ｐｒ方向に回転可能なつまみを有し、このつまみが時計方向または反時計方向に回転されることにより入力が為され、この回転方向に対応した信号９ａが端子に発生する。ここでは、この信号を回転入力信号９ａと称する。
【００４５】
一方、押込スイッチ８は、つまみが図中の矢印Ｐｆ方向に押し込まれることによりストローク移動し、この結果、断続信号８ａが端子に発生する。ここでは、この信号を断続入力信号８ａと称する。
【００４６】
回転入力機器９のつまみの回転方向の情報は、入力機器制御部１０を構成する回転方向検出回路１０Ｃが端子から得た信号として、インタラプトインタフェース１０Ａに入力される。インタラプトインタフェース１０Ａでは、この入力に基づいてインタラプト信号を発生させると同時に、つまみの回転方向の情報を載せた信号１０Ａａ（図１参照）を編成して入力信号処理部１０Ｂに入力する。
【００４７】
ここで入力信号処理部１０Ｂは、信号１０Ａａを受けると、そのまま直ちに、あるいはホールドした上で、データ伝達手段２０に出力する。
この情報は、システムメモリ６中に格納された回転機器の回転方向弁別手段（図示されない）の実行時に取り込まれる。
【００４８】
前記のように、入力信号処理部１０Ｂが信号１０Ａａをホールドせず、直ちに出力する構成の場合は、つまみの回転方向の情報が一度だけ利用されることになる。すなわち一度のつまみ操作が、一度の処理に対応する。
【００４９】
一方、入力信号処理部１０Ｂが信号１０Ａａをホールドする構成の場合は、つまみの回転方向の情報が反復して利用される構成にできる。したがって、つまみが連続して回転状態にあると、その間繰り返し処理が反復されることになる。
【００５０】
また、図示されるように回転入力機器９のつまみの回転量ならびに回転速度の情報を、入力機器制御部１０を構成する回転量／回転速度検出回路１０Ｄが端子から得た信号としてインタラプトインタフェース１０Ａに入力して、以降の処理において取り込む構成にすることもできる。
【００５１】
また、押込スイッチ８の発生させる断続入力信号８ａは、入力機器制御部１０を構成するスイッチオンオフ検出回路１０Ｅが端子から得た信号として、同様にインタラプトインタフェース１０Ａに入力される。
【００５２】
また前記の回転入力機器９及び押込スイッチ８は、それぞれ個別に操作可能に構成されており、したがって両方を同時に操作して同時入力することが可能となっている。
【００５３】
前記のような回転・押込入力機器３９の回転入力機器９は、表示される数値の変更指令信号や、画面上の特定部分を選択する選択信号等を含む、動作制御全般の指令信号の入力機器として作用する。また押込みスイッチ８は、選択された部分の確定や表示数値の確定をはじめ、例えば装置の動作をあるフェーズから別のフェーズに移行させる信号の入力機器として作用する。
【００５４】
回転入力機器９、押込スイッチ８、入力スイッチ１６からの回転入力信号９ａ、断続入力信号８ａ、非回転入力信号１６ａは、インタラプトインタフェース１０Ａを介してインタラプト信号となり、ＣＰＵ５の割込み受け付け端子から取り込まれる。
【００５５】
この構成によれば、回転入力機器９、押込スイッチ８、入力スイッチ１６のいずれかが操作されて回転入力信号９ａ、断続入力信号８ａ、非回転入力信号１６ａのいずれかが発生すると、インタラプトインタフェース１０Ａによりインタラプト信号がＣＰＵ５に入力され、ＣＰＵ５はインタラプト処理フェーズに移る。
【００５６】
図４は、入力機器から発生する割込処理過程の遷移図である。当初、非割込対応手順の演算処理３０の状態にあったＣＰＵ５は、インタラプト信号の入力を受けてインタラプト発生３１を検知すると、システムメモリ６に内蔵されたインタラプト信号処理手順を実行してインタラプト信号の処理を行なう。ここで先ず割込を発生させた入力機器を同定するが、この入力機器の同定は、割込み受け付け端子から直接割り出すものと、あるいはインタラプトインタフェース１０Ａによって入力信号１０Ａａが入力信号処理部１０Ｂに送られるのに基づき割り出すものがある。
【００５７】
前記のようにして割込を発生させた入力機器、すなわち使用者によって操作がなされた入力機器が同定されると、符号３３においてシステムメモリ６からその入力機器に対応するインタラプト対応手順を読出し、インタラプト対応手順の演算処理３４の状態となる。このようにして符号３５において入力機器からの入力値などが確定すると、インタラプトの処理が完了して、ＣＰＵ５は非割込対応手順の演算処理３０の状態に戻る。この段階で入力機器からの入力値が使用されることになる。
【００５８】
つぎに、図１に戻って、ＲＯＭ６’に格納されている各種の手段につき以下に説明する。
同図に示されるように、ＲＯＭ６’内には、遷移指示入力検出手段２６、フェーズ間遷移手段２７、フェーズ下処理実行手段２８が、いずれもＣＰＵ５によって実行可能な手順（プログラム）として格納されている。
【００５９】
遷移指示入力検出手段２６は、複数種類のフェーズのうちの任意のフェーズ下での作動中において、入力機器から発生した、フェーズ間の遷移を指示する入力信号を検出するよう動作する。
【００６０】
フェーズ間遷移手段２７は、遷移指示入力検出手段２６の検出結果に基づいて、現在のフェーズ下での動作を中断させ、別のフェーズへの遷移を実行するよう動作する。
【００６１】
フェーズ下処理実行手段２８は、遷移した別のフェーズ下で少なくとも画面を呼び出して表示させるよう動作する。
【００６２】
前記各手段のプログラム形式は、直接あるいは間接に実行可能なものであればよく、したがってアブゾリュート・バイナリとしてアドレッシングされた形式が好ましいが、あるいはリロケータブル・バイナリとして実行時に再アドレッシングが必要な形式でも差し支えない。ただし後者の場合はリンケージ手段を、例えばシステムメモリ６に常駐させる必要がある。
【００６３】
図５は、本実施形態に係る携帯無線情報端末装置の外観の構成を示す正面図である。以下、同図を参照して本実施形態に係る携帯無線情報端末装置の構成を説明する。
【００６４】
本実施の形態に係る携帯無線情報端末装置１は、薄型の直方体形状のキャビネット１５に収容されており、キャビネット１５の前面のほぼ中央にメッセージや年月日あるいは時刻の表示を行なう液晶表示パネル１２が設けられている。
【００６５】
さらにキャビネット１５の右上角部には、回転・押込入力機器３９としてジョグダイヤルが、その一部をキャビネット１５から外側に突出させるようにして取り付けられている。回転・押込入力機器３９には、回転入力機器９として時計方向および反時計方向に回転自在のつまみを備える。
【００６６】
さらに回転入力機器９と一体に、押込スイッチ８が設けられている。この押込スイッチ８は、回転入力機器９のつまみを押し込む操作によって動作がなされるものである。
【００６７】
また、液晶表示パネル１２に隣接して下方に、エスケープキーとしての入力スイッチ１６が、押圧操作自在に埋め込まれて配置されている。この入力スイッチ１６は、特定のフェーズへのエスケープ復帰入力や、着信時に通報として奏鳴されるアラーム音を停止する通報停止指令の入力や、動作制御の指令入力時に、使用者によって操作される。
【００６８】
さらにこの入力スイッチ１６は、キャビネット１５の表面から僅かにキャビネットの内部方向に窪んで配置することによって、外力が容易に作用しない構造とすることができる。これによって、誤動作の発生を防止可能な構造にすることができる。
【００６９】
液晶表示パネル１２には、たとえば１行２０文字で４行にわたる英文字または数字で表示がなされる。
【００７０】
以上、本実施形態に係る携帯無線情報端末装置の構成につき説明した。ついで以下に、本携帯無線情報端末装置の動作を説明する。
先ず、通常の動作である無線信号の受信とメッセージ表示を、主として図２を参照して説明する。
【００７１】
無線送信拠点から、特定の携帯無線情報端末装置１に向けた情報（メッセージ）を載せた電波が送信された場合、携帯無線情報端末装置１はこれをアンテナ２で受信し、受信部３において中間周波数変換、増幅、検波などの信号処理を行ない、復調部４において自分への送信であることを確認後に、受信した情報信号を復元させ、復元させた情報信号をＣＰＵ５の制御によりメッセージ記憶メモリ７に格納させる。
【００７２】
この際に、一個のメッセージ文につき一個のメッセージファイルを作成するものとし、メッセージ文を格納した各メッセージファイルを、メッセージ記憶メモリ７に格納する。
【００７３】
また、同種類のメッセージ文が格納されているメッセージファイルを複数個まとめて、ひとつのフォルダを作成し、フォルダ単位でメッセージ記憶メモリ７に格納することもできる。
【００７４】
ＣＰＵ５は、システムメモリ６に格納されている制御プログラムに基づいて、携帯無線情報端末装置１の動作を制御し、先ず情報信号の受信の有無を判定し、受信信号があると判定すると、表示パネル駆動部１１を作動させ、メッセージ記憶メモリ７のメッセージファイルから読み出した受信情報のメッセージを、液晶表示パネル１２に、たとえば英文字と数字により１行２０文字で４行にわたって表示させる。
【００７５】
なお、画像表示器は前記の液晶表示パネルに限られることなく、任意の凡ゆる画像表示機器が適用可能である。また、画面構成についても、前記の１行２０文字で４行構成に限られることなく、任意の凡ゆる画面構成の適用が可能である。
【００７６】
また、受信信号があると判定すると、ＣＰＵ５の指令によって、通報信号出力部１３が作動し、スピーカ１４にアラーム信号が入力されてスピーカ１４が奏鳴し、これによって使用者に対して着信の通報が行なわれる。
【００７７】
図６は、本発明の携帯無線情報端末装置に係るフェーズ遷移の説明図である。また図７は、メッセージ表示フェーズ下での、メッセージ表示画面の模式図であり、さらに図８は、メッセージ操作フェーズ下での、メッセージ操作画面の模式図である。
【００７８】
ここで、図６〜図８に基づいて、本発明の携帯無線情報端末装置におけるフェーズ遷移の構成を説明する。なお説明の便宜上、一方のフェーズをメッセージ表示フェーズとし、他方のフェーズをメッセージ操作フェーズとしている。
【００７９】
図６中で、現在のフェーズがメッセージ表示フェーズＰｈ１であるとすると、携帯無線情報端末装置１はこのメッセージ表示フェーズＰｈ１下で作動している。したがって、図７に示されるように、画面１２にはメッセージ文１２ａが表示されている。
【００８０】
この状態において、画面のスクロール要求が発生すれば、このメッセージ表示フェーズＰｈ１下のままで、スクロール処理Ｐｈ１ａがなされる。
【００８１】
具体的には、回転・押込入力機器３９の回転入力機器９に左回りの操作が加えられると、上方向のスクロール処理ＳＵ（図７参照）がなされ、一方、回転入力機器９に右回りの操作が加えられると、下方向のスクロール処理ＳＤ（図７参照）がなされる。
【００８２】
一方、回転・押込入力機器３９の押込スイッチ８からの押込１０２によりフェーズ間遷移の要求が発生すれば、現在のメッセージ表示フェーズＰｈ１から、メッセージ操作フェーズＰｈ２にフェーズ間遷移がなされ、現在のフェーズがメッセージ操作フェーズＰｈ２に変わり、携帯無線情報端末装置１はこのメッセージ操作フェーズＰｈ２下で作動することになる。
【００８３】
メッセージ操作フェーズＰｈ２下で、画面１２には図８に示されるようなメッセージ操作画面１２ｂが表示される。なお図８の表示画面には、前のフェーズにおける表示の一部がそのまま残って表示されている。
【００８４】
メッセージ操作画面１２ｂには、複数個の選択可能な部分が表示されている。
図中の、ＬＯＣＫ、ＦＯＬＤＥＲ、ＤＥＬＥＴＥ、ＤＥＬＥＴＥ  ＡＬＬのうち、ＬＯＣＫは当該メッセージを削除禁止とするもので、このＬＯＣＫが選択されると、このメッセージ操作フェーズＰｈ２下のままで、当該メッセージのロック処理Ｐｈ２ａが実行される。実行後も、メッセージ操作フェーズＰｈ２下にとどまる。
【００８５】
また、ＦＯＬＤＥＲは、現在のフォルダから他のフォルダへ移動するか、あるいはメッセージを受信メッセージ格納エリアから別のエリアに転送するもので、このＦＯＬＤＥＲが選択されると、このメッセージ操作フェーズＰｈ２下のままで、フォルダ処理Ｐｈ２ｂが実行される。なお実行後も、メッセージ操作フェーズＰｈ２下にとどまる。
【００８６】
さらに、ＤＥＬＥＴＥは、当該メッセージを削除するもので、このＤＥＬＥＴＥが選択されると、このメッセージ操作フェーズＰｈ２下のままで、当該メッセージの削除処理Ｐｈ２ｃが実行される。なお実行後も、メッセージ操作フェーズＰｈ２下にとどまる。
【００８７】
さらに、ＤＥＬＥＴＥ  ＡＬＬは、現在のフォルダ内のメッセージ中で、ロックが掛られている以外のメッセージを全て削除するもので、このＤＥＬＥＴＥＡＬＬが選択されると、このメッセージ操作フェーズＰｈ２下のままで、全メッセージの削除処理Ｐｈ２ｄが実行される。なお実行後も、メッセージ操作フェーズＰｈ２下にとどまる。
【００８８】
さらに、このメッセージ操作フェーズＰｈ２下にあって、エスケープ入力として入力スイッチの押下１０４があると、現在のメッセージ操作フェーズＰｈ２からメッセージ表示フェーズＰｈ１にフェーズ遷移をして、メッセージ表示フェーズＰｈ１に復帰する。
【００８９】
図９は、本発明の第一の実施形態に係る携帯無線情報端末装置のフェーズ間移動と画面呼び出し表示動作を示すフローチャートである。
以下、図９と前記図６を参照して、フェーズ間移動と画面呼び出し表示動作を説明する。
【００９０】
ステップＳ１において、メッセージ表示フェーズＰｈ１が開始され、現在この携帯無線情報端末装置はメッセージ表示フェーズＰｈ１の下にある。
【００９１】
ついで、このメッセージ表示フェーズＰｈ１下で遷移指示入力検出手段２６が、入力機器から発生した入力信号を検出する（ステップＳ２）。
【００９２】
ここで発生した入力信号が、回転・押込入力機器３９の回転入力機器（スクロールスイッチ）９からの信号であれば、スクロール処理Ｐｈ１ａを実行し（ステップＳ３）、ステップＳ２に戻る。
【００９３】
ステップＳ２で検出した入力信号が、回転・押込入力機器３９の押込スイッチ８からの押込信号１０２であれば、遷移指示入力検出手段２６はこれをフェーズ間の遷移を指示する入力信号と認識して、フェーズ間遷移手段２７に指令を送る（ステップＳ２）。
【００９４】
ついでフェーズ間遷移手段２７は、遷移指示入力検出手段２６の指令に基づいて、現在のメッセージ表示フェーズＰｈ１での動作を中断させ、メッセージ操作フェーズＰｈ２への遷移を実行する（ステップＳ４）。
【００９５】
ここでメッセージ操作フェーズＰｈ２への遷移完了とともに、フェーズ下処理実行手段２８が作動し、メッセージ操作画面が表示される。
【００９６】
さらにフェーズ下処理実行手段２８は、このメッセージ操作フェーズＰｈ２下において入力スイッチ１６からの入力信号の発生検出を実行する（ステップＳ５）。
【００９７】
入力スイッチ１６からの入力信号の発生がなければ、さらに他の入力機器からの信号入力を検出する（ステップＳ６）。
【００９８】
ここで、たとえばメッセージ操作画面上で、ＬＯＣＫ、ＦＯＬＤＥＲ、ＤＥＬＥＴＥ、ＤＥＬＥＴＥ  ＡＬＬ（図８参照）のいずれかが、回転・押込入力機器３９の回転入力機器９の操作で選択され、さらに押込スイッチ８の操作で確定がなされると、押込スイッチ８から入力信号が発生する。
【００９９】
フェーズ下処理実行手段２８は、この押込スイッチ８から入力信号がＬＯＣＫによるものであれば、当該メッセージファイルのロック処理Ｐｈ２ａを実行し（ステップＳ７）、ステップＳ５に戻る。
【０１００】
あるいは、この押込スイッチ８から入力信号がＦＯＬＤＥＲによるものであれば、当該フォルダへの移動処理Ｐｈ２ｂを実行し（ステップＳ８）、ステップＳ５に戻る。
【０１０１】
さらに、この押込スイッチ８から入力信号がＤＥＬＥＴＥによるものであれば、当該メッセージファイルの削除処理Ｐｈ２ｃを実行し（ステップＳ９）、ステップＳ５に戻る。
【０１０２】
また、この押込スイッチ８から入力信号がＤＥＬＥＴＥ  ＡＬＬによるものであれば、当該フォルダ内の、ロックされているメッセージファイルを除くすべてのメッセージファイルの削除処理Ｐｈ２ｄを実行し（ステップＳ１０）、ステップＳ５に戻る。
【０１０３】
一方、ステップＳ５において、入力スイッチ１６からの入力信号が検出されると、フェーズ下処理実行手段２８はコントロールを遷移指示入力検出手段２６に移す。
【０１０４】
遷移指示入力検出手段２６はここで、入力スイッチ１６の押下１０４があったと判定し、フェーズ間遷移手段２７に指令を送る。
【０１０５】
ついでフェーズ間遷移手段２７は、遷移指示入力検出手段２６の指令に基づいて、現在のメッセージ操作フェーズＰｈ２での動作を中断させ、メッセージ表示フェーズＰｈ１への移行を実行する（ステップＳ１１）。
このようにして再度、メッセージ表示フェーズＰｈ１下での作動が続行されることになる。
【０１０６】
上記のように、メッセージ表示フェーズＰｈ１下で例えば長文のメッセージ文を使用者が読んでいる時に、途中でこのメッセージ文をロックする必要があると使用者が判断したときは、直ちに押込スイッチ８を押し込むだけで、メッセージ文途中であっても、直ちにメッセージ操作フェーズＰｈ２に移行でき、このメッセージ文をロックすることができる。
【０１０７】
しかも、このロック作業が完了すると、エスケープキーである入力スイッチ１６を押下することにより、直ちに元のメッセージ表示フェーズＰｈ１へ復帰し、しかも元のメッセージ文が中断位置で再表示されるから、余分のスクロール操作などをすることなく、そのまま続きを読むことができる。
【０１０８】
このように、本実施の形態により、使用者の使い勝手が顕著に改善される。さらに、それのみならず、煩雑な操作が必要ないから、従来構成にあって起きるおそれがあった、例えばロックをかける目的で操作したにも拘わらず、煩雑な操作ゆえの誤操作で、貴重なメッセージ文が削除されてしまうといった事故を排除することができ、よって高い信頼性を得ることが可能になる。
【０１０９】
本発明の第二の実施形態に係る携帯無線情報端末装置は、前記の遷移指示入力検出手段２６として、一方のフェーズをメッセージ表示フェーズとし、他方のフェーズをメッセージ操作フェーズとし、いずれかのフェーズ下での作動中において、入力機器から発生した、フェーズ間の遷移を指示する入力信号を検出するよう動作するよう構成するものとする。
【０１１０】
さらに、前記のフェーズ間遷移手段２７として、一方のフェーズをメッセージ表示フェーズとし、他方のフェーズをメッセージ操作フェーズとし、遷移指示入力検出手段２６の検出結果に基づいて、現在のフェーズ下での動作を中断させ、他のフェーズへの遷移を実行するよう動作するものとする。
【０１１１】
さらに、前記のフェーズ下処理実行手段２８として、一方のフェーズをメッセージ表示フェーズとし、他方のフェーズをメッセージ操作フェーズとし、いずれか遷移したフェーズ下で少なくとも画面を呼び出して表示させるよう動作するものとする。
【０１１２】
また、その他の部分は、前記第一の実施形態に係る携帯無線情報端末装置におけると同様であり、説明は省略される。
【０１１３】
図１０は、本発明の第三の実施形態に係る記録媒体の構成を示す説明図である。同図を参照して、本発明の第三の実施形態に係る記録媒体を以下に説明する。
【０１１４】
本実施形態の記録媒体４０は、ワンチップ構成の半導体メモリであり、その内部に、少なくとも以下の三手段が、コンピュータが読み取り、且つコンピュータが実行可能なプログラム（手順）として記録されている。これら三手段は、チップ端子４０ａを介してアクセス可能に構成されている。
【０１１５】
記録されている第一の手段は、遷移指示入力検出手段２６である。この手段は、コンピュータの中央演算処理装置によって読み取られ、且つコンピュータの中央演算処理装置によって実行されることで、複数種類のフェーズのうちの任意のフェーズ下での作動中において、入力機器から発生した、フェーズ間の遷移を指示する入力信号を検出するよう動作する。
【０１１６】
第二の手段は、フェーズ間遷移手段２７である。この手段は、コンピュータの中央演算処理装置によって読み取られ、且つコンピュータの中央演算処理装置によって実行される際に、遷移指示入力検出手段２６の検出結果に基づいて、現在のフェーズ下での動作を中断させ、別のフェーズへの遷移を実行するよう動作する。
【０１１７】
第三の手段は、フェーズ下処理実行手段２８である。この手段は、コンピュータの中央演算処理装置によって読み取られ、且つコンピュータの中央演算処理装置によって実行される際に、遷移した別のフェーズ下で少なくとも画面を呼び出して表示させるよう動作する。
【０１１８】
従ってこの記録媒体４０を、中央演算処理装置と入力機器と画像表示器とメッセージの記録用メモリを備えた携帯無線情報端末装置に、中央演算処理装置の動作手順の格納されたメモリとして組み込み、格納された各手段を動作手順として中央演算処理装置により順次実行することによって、フェーズ間の遷移を指示する入力信号を検出し、この検出結果に基づいて別フェーズへの遷移を実行し、ついで別フェーズ下での画面を少なくとも呼び出して表示させるという、これら各機能を備える携帯無線情報端末装置を具現することが可能になる。
【０１１９】
本実施形態の記録媒体４０は、フラッシュメモリをはじめ、読出し専用のＭＯＳメモリ、ＳＲＡＭ、ＥＰＲＯＭ、ＥＥＰＲＯＭ、その他の凡ゆる不揮発性半導体記録媒体に対して適用可能である。
さらに、光記録式の媒体や、光磁気記録式の媒体、磁気記録式の媒体に対しても適用可能である。
【０１２０】
図１１は、本発明の第四の実施形態に係るマイクロコンピュータ装置のブロック構成図である。同図を参照して、本発明の第四の実施形態に係るマイクロコンピュータ装置を以下に説明する。
【０１２１】
本実施形態に係るマイクロコンピュータ装置８０は、ワンチップで構成され、内部バス８６と、この内部バス８６に夫々接続されているＣＰＵ８１、ワーキングメモリ８２、表示インタフェース８３、出力インタフェース８４、入力インタフェース８５、メモリ部９１が内蔵されている。
【０１２２】
前記ワンチップに設けられた外部端子としては、ＣＰＵ８１の割込入力に接続されたインタラプト入力端子８７、表示インタフェース８３と出力インタフェース８４に接続された出力端子８８、入力インタフェース８５に接続された入力端子８９、さらに、内部バス８６に接続されている共通バス端子９０が夫々配設されている。
【０１２３】
さらにメモリ部９１には、いずれもＣＰＵ８１によって実行可能なプログラムとして、システム制御手段９５、入出力管理手段９６、表示管理手段９７、遷移指示入力検出手段２６、フェーズ間遷移手段２７、フェーズ下処理実行手段２８などが記録されている。
【０１２４】
システム制御手段９５は、このワンチップ内の各部分の動作の制御を行なうのみならず、このマイクロコンピュータ８０が組み込まれるシステム全体あるいはシステム各部分の制御を司るもので、その手順は適用される各システムに適合するものが採用される。
【０１２５】
同様に入出力管理手段９６は、このワンチップ内と外部とのデータや信号の授受の管理を行なうのみならず、このマイクロコンピュータ装置８０が組み込まれるシステムあるいはシステム各部分と外界とのデータや信号の授受の管理を司るもので、その手順は適用される各システムに適合するものが採用される。
【０１２６】
一方、表示管理手段９７は、このマイクロコンピュータ装置８０に外部接続された画像表示器への表示を司るもので、メッセージ文の画面表示を管理する。
【０１２７】
遷移指示入力検出手段２６は、ＣＰＵ８１によって読み取られ、且つ実行されることにより、複数種類のフェーズのうちの任意のフェーズ下での作動中に、入力機器から発生した、フェーズ間の遷移を指示する入力信号を検出するよう動作する。
【０１２８】
フェーズ間遷移手段２７は、ＣＰＵ８１によって読み取られ、且つ実行される際に、遷移指示入力検出手段２６の検出結果に基づいて、現在のフェーズ下での動作を中断させ、別のフェーズへの遷移を実行するよう動作する。
【０１２９】
フェーズ下処理実行手段２８は、ＣＰＵ８１によって読み取られ、且つ実行される際に、遷移した別のフェーズ下で少なくとも画面を呼び出して表示させるよう動作する。
【０１３０】
このマイクロコンピュータ装置８０を、通信機構部や受信メッセージの記録用メモリ、入力操作がなされる回転・押込入力機器などの入力機器、通報機器、メッセージ等の表示用の画像表示器、さらに電源回路などが備えられた携帯無線情報端末装置に組み込むことにより、この携帯無線情報端末装置に、フェーズ間の遷移を指示する入力信号を検出し、この検出結果に基づいて別フェーズへの遷移を実行し、ついで別フェーズ下での画面を少なくとも呼び出して表示させるという機能を容易に付与することが可能になる。
【０１３１】
【発明の効果】
本発明の請求項１に係る携帯無線情報端末装置の画面表示方法は、夫々が異なる機能の複数種類のフェーズ下で作動可能な携帯無線情報端末装置に適用され、メッセージファイルを表示するメッセージ表示フェーズ下で作動中に、回転操作部によってメッセージのスクロールが可能とされ、回転操作部と一体に構成された押し込みスイッチから指示入力が発生すれば、メッセージ表示フェーズ下における動作を中断して予め任意に定められたメッセージ操作フェーズに移行し、メッセージ表示フェーズ下で表示されたメッセージの表示の一部を残してメッセージ操作フェーズ下の画面を呼び出して表示させ、メッセージ操作フェーズ下で入力スイッチによる指示入力がなされるとメッセージ表示フェーズに移行し、メッセージを中断位置から表示させるものである。
【０１３２】
したがって、回転操作部と一体に構成された押し込みスイッチから指示入力をすれば、現在実行中の動作を中断して直ちに定められたメッセージ操作フェーズに移行し、しかもメッセージ表示フェーズ下で表示されたメッセージの表示の一部を残して、このメッセージ操作フェーズ下の画面を直ちに呼び出して表示させ、メッセージ操作フェーズ下で入力スイッチによる指示入力がなされるとメッセージ表示フェーズに移行し、メッセージを中断位置から表示させる一連の動作が、簡単な入力操作のみによって容易に実行されるから、従来におけるようなスクロールを何度も繰り返し実行させるといった煩雑な操作を排除して、操作性を向上できるという効果がある。
【０１３５】
本発明の請求項２に係る携帯無線情報端末装置は、無線電波により着信したメッセージをメッセージファイルにして記憶し、少なくとも該メッセージファイルから取り出したメッセージを画面表示可能な画像表示器と、回転操作部と押込スイッチと入力スイッチとを有する入力機器とを備え、且つメッセージファイルから取り出したメッセージを表示させるメッセージ表示フェーズと、メッセージファイルを操作するメッセージ操作フェーズ下で作動可能な携帯無線情報端末装置であって、
メッセージ表示フェーズ下で作動中に、回転操作部によってメッセージのスクロールが可能とされ、回転操作部と一体に構成された押込スイッチから発生した、フェーズ間の遷移を指示する入力信号を検出する遷移指示入力検出手段と、
遷移指示入力検出手段の検出結果に基づいて、メッセージ表示フェーズ下での動作を中断させ、メッセージ操作フェーズへの遷移を実行するフェーズ間遷移手段と、
メッセージ表示フェーズで表示されたメッセージの表示の一部を残して該メッセージ操作フェーズ下の画面を呼び出して表示させ、メッセージ操作フェーズ下で入力スイッチによる指示入力がなされると、メッセージ表示フェーズに移行し、メッセージを中断位置から表示させるフェーズ下処理実行手段と
を有する構成とする。
【０１３６】
したがって、具備する遷移指示入力検出手段と、フェーズ間遷移手段と、フェーズ下処理実行手段により、回転操作部と一体に構成された押込スイッチから発生した、フェーズ間の遷移を指示する入力信号を検出し、この検出結果に基づいてメッセージ操作フェーズへ遷移し、ついでメッセージ操作フェーズ下で、メッセージ表示フェーズで表示されたメッセージの表示の一部を残して、メッセージ操作フェーズ下での少なくとも画面を呼び出し表示させ、遷移したメッセージ操作フェーズ下で入力スイッチによる指示入力がなされると遷移前のメッセージ表示フェーズに移行し、メッセージを中断位置から表示させるという一連の動作が可能な携帯無線情報端末装置を実現することができる。
【図面の簡単な説明】
【図１】本発明の第一の実施形態に係る携帯無線情報端末装置の要部構成を示すブロック図である。
【図２】図１に示される携帯無線情報端末装置の全体構成を示すブロック図である。
【図３】本発明に係る携帯無線情報端末装置に適用される回転・押込入力機器の一例の構成図である。
【図４】入力機器から発生する割込処理過程の遷移図である。
【図５】図１および図２に示される携帯無線情報端末装置の外観構成を示す正面図である。
【図６】本発明の携帯無線情報端末装置に係るフェーズ遷移の説明図である。
【図７】メッセージ表示画面の例の模式図である。
【図８】メッセージ操作画面の例の模式図である。
【図９】本発明の第一の実施形態に係る携帯無線情報端末装置の動作を示すフローチャートである。
【図１０】本発明の第三の実施形態に係る記録媒体の構成を示す説明図である。
【図１１】本発明の第四の実施形態に係るマイクロコンピュータ装置のブロック構成図である。
【符号の説明】
１……携帯無線情報端末装置、２……アンテナ、３……受信部、４……復調部、５……ＣＰＵ、６……システムメモリ、６’……ＲＯＭ、７……メッセージ記憶メモリ、８……押込スイッチ、９……回転入力機器、１０Ａ……インタラプトインタフェース、１０Ｂ……入力信号処理部、１１……表示パネル駆動部、１２……液晶表示パネル、１３……通報信号出力部、１４……スピーカ、１６……入力スイッチ、２０……データ伝達手段（データバス）、２６……遷移指示入力検出手段、２７……フェーズ間遷移手段、２８……フェーズ下処理実行手段、３９……回転・押込入力機器
【図１】
0004420479.tif 000002
【図２】
0004420479.tif 000003
【図３】
0004420479.tif 000004
【図４】
0004420479.tif 000005
【図５】
0004420479.tif 000006
【図６】
0004420479.tif 000007
【図７】
0004420479.tif 000008
【図８】
0004420479.tif 000009
【図９】
0004420479.tif 000010
【図１０】
0004420479.tif 000011
【図１１】
0004420479.tif 000012